(57)【要約】 【課題】  異なったタイプのアンテナに対応して、自動的にチューナの特性を設定できるラジオ受信機を提供する。【解決手段】  ラジオ受信機に接続されたアンテナアンプ１０を駆動するためのアンテナアンプ制御用出力回路５と、この制御用出力５に流れる電流を検出する電流検出回路９を設ける。制御用ＣＰＵ２は、アンテナアンプ制御用出力回路５に流れる電流があらかじめ規定しておいたアンテナアンプ１０の接続時と判断する電流値に達していない場合は、アンテナアンプを持たないアンテナアンプが接続されたと判断する。記憶装置７には、異なったタイプのアンテナごとにチューナに対する各設定値を格納する。制御用ＣＰＵ２には、検出されたアンテナタイプに対応した設定値を記憶装置７から読み出して、ラジオチューナ１に書き込む特性値設定手段１１を設ける。【選択図】  図１
2006270685.tif 000002
【特許請求の範囲】
【請求項１】
異なるタイプのアンテナを装着可能なチューナと、このチューナの機能制御を行う制御装置を備えたラジオ受信機において、
前記制御装置が、アンテナのタイプに対応したチューナの特性値を記憶する記憶手段と、アンテナのタイプを検出する手段と、このアンテナタイプ検出手段によって検出したアンテナのタイプに対応した値を前記記憶手段から読み出して前記チューナの特性を設定する特性値設定手段とを有することを特徴とするラジオ受信機。
【請求項２】
前記異なるタイプのアンテナの一つがアンテナアンプを備えたものであり、
前記アンテナタイプ検出手段がラジオ受信機にアンテナアンプを接続した場合におけるアンテナアンプ電流を検出するものであることを特徴とする請求項１に記載のラジオ受信機。
【請求項３】
前記特性値設定手段が、チューナのソフトミュートレベル、受信メータレベルまたはハイカット量の少なくとも一つを設定するものであることを特徴とする請求項１または２に記載のラジオ受信機。
【発明の詳細な説明】
【技術分野】
【０００１】
本発明は、異なるタイプのアンテナを装着することのできるラジオ受信機に関するものであり、特に、接続したアンテナのタイプに応じてチューナの特性を設定可能とした技術に係る。
【背景技術】
【０００２】
一般に、車載用のカーラジオなどでは、その受信精度や外観上の理由から、ポールアンテナや硝子アンテナなどの異なったタイプのアンテナが使用されることが多い。例えば、車両に予め設けられているポールアンテナは、アンテナが外部に露出しており、しかも車体からの突出量を多く取れることから受信感度も優れているため、直接ラジオチューナに接続されることが多い。
【０００３】
一方、硝子アンテナは、車両の窓硝子の内面に貼り付けられるものであり、車両のスタイルに影響を与えないとか、空気抵抗がないなどの理由から好まれているが、その反面、ポールアンテナに比較すると受信感度が低い。そのため、硝子アンテナにおいては、アンテナとチューナとの間に増幅用のアンテナアンプを接続することが行われている。
【０００４】
このように、車載用のラジオ受信機のアンテナとしては、その受信感度に応じて、アンテナアンプの有無をはじめとして、特性の異なる複数種類のアンテナが使用されているため、アンテナを接続するチューナ側では、一例として次の(1) から(3) に示すようなチューナ特性を各タイプのアンテナに合わせて調整することで、最適なラジオリスニング環境を構築するようにしている。
【０００５】
(1) ソフトミュート
受信機などの受信信号が急になくなった場合などにおいて、受信信号にそれまで隠れていたノイズなどが発生するため、このノイズを消去するためにミュートをかけること。この場合、ミュートによって全く信号をゼロにするのではなく、例えば、５０％信号をダウンするなど若干の信号が出るようなレベルのミュートをかけることが多い。
【０００６】
(2) Ｓメータレベル
電界強度に基づく受信レベルに基づき出力されるものであり、オートチューニング時における受信信号のサーチ停止などに使用される。
(3) ハイカットコントロール
高域周波数を除去することで、ノイズ等による雑音を低減する。
【０００７】
このようなチューナ特性の調整方法として、従来では次のような手法が採用されていた。まず、車両側に設けられた制御装置（例えば、オーディオ制御用コンピュータ）との通信手段を持たないラジオ受信機や、特定のアンテナタイプとの接続を想定していないラジオ受信機においては、特定のアンテナタイプに最適化しないで、どのタイプでも許容できる設定を適用していた。しかし、この手法では、アンテナタイプに応じた最適なチューナ特性の調整は不可能であり、アンテナタイプによってはカーラジオの心地よいリスニング環境の構築という面でハードウェアの上限の性能を引き出していない設定となってしまう。
【０００８】
一方、車両側に制御装置が設けられた制御装置との間で通信機能を有しているラジオ受信機では、その制御装置を利用してチューナ特性の調整を手動で行っていた。図４は、このような従来技術の一例を示すものであって、このラジオ受信機Ｒにおいてラジオチューナ１は制御用ＣＰＵ２に接続され、この制御用ＣＰＵ２に、音声制御部３、音声増幅部４、アンテナアンプ制御用出力回路５、液晶ディスプレイなどの表示器６、記憶装置７及び操作部８が設けられている。
【０００９】
このような従来技術においては、チューナ１に所定のアンテナが接続された場合に、そのアンテナに応じて、ユーザが表示器６に表示される内容に従い、操作部８を操作することにより専用の設定メニューを呼び出し、アンテナタイプを選択決定し、決定された内容の設定を不揮発性メモリー等の記憶装置７から呼び出して、ラジオチューナ１の設定及びアンテナアンプ制御用出力回路５のコントロール信号を制御する。しかし、この従来技術では、ユーザーによる設定を強要していることから設定の間違いが起こる可能性がある上に、ユーザが一々手作業で設定を行わねばならず、面倒であった。そのため、異なるアンテナのタイプに合わせてチューナ特性を自動的に設定することのできる技術が望まれていた。
【００１０】
さらに、アンテナとチューナ本体との適否を検出する技術として特許文献１のものがあるが、これもチューナ特性を自動的に設定するものではなかった。また、タイプの異なる複数のアンテナを切り替えて使用する受信機も特許文献２に記載されているが、これもチューナ特性の設定を自動化するものではなかった。
【特許文献１】特開平９−１４８９５８公報
【特許文献２】特開平５−３１６０１０公報
【発明の開示】
【発明が解決しようとする課題】
【００１１】
本発明は、以上の課題を解消するために提案されたものであり、その目的は、異なるアンテナ（例えば、アンテナアンプを必要とするアンテナと、アンテナアンプを必要とせずラジオ受信機に直接接続するアンテナ）で、どのようなアンテナが接続されたかを識別し、接続されたアンテナに合わせてチューナの各値を自動的に設定するようにしたラジオ受信機を提供することにある。
【課題を解決するための手段】
【００１２】
上述した目的を達成するために、請求項１の発明は、異なるタイプのアンテナを装着可能なチューナと、このチューナの機能制御を行う制御装置を備えたラジオ受信機において、前記制御装置が、アンテナのタイプに対応したチューナの特性値を記憶する記憶手段と、アンテナのタイプを検出する手段と、このアンテナタイプ検出手段によって検出したアンテナのタイプに対応した値を前記記憶手段から読み出して前記チューナの特性を設定する特性値設定手段とを有することを特徴とする。
【００１３】
請求項２の発明は、前記請求項１の発明において、前記異なるタイプのアンテナの一つがアンテナアンプを備えたものであり、前記アンテナタイプ検出手段がラジオ受信機にアンテナアンプを接続した場合におけるアンテナアンプ電流を検出するものであることを特徴とする。
【００１４】
請求項３の発明は、前記特性値設定手段が、チューナのソフトミュートレベル、受信メータレベルまたはハイカット量の少なくとも一つを設定するものであることを特徴とする。
【００１５】
このような構成を有する本発明によれば、アンテナアンプ電流を検出するなどのアンテナタイプ検出手段により、チューナに特定の種類のアンテナが接続されていることを判別した場合に、このアンテナタイプに応じて、チューナのソフトミュートレベル、受信メータレベルまたはハイカット量などが記憶手段から読み出され、その値が特性値設定手段によりチューナに設定される。
【発明の効果】
【００１６】
以上述べたように、本発明のラジオ受信機によれば、アンテナのタイプに応じて自動的にチューナ特性が設定されるので、ユーザが特性値を手動でチューナに設定する必要がなくなりアンテナ取り付け時の作業性が向上するとともに、ラジオチューナの設定をアンテナタイプに合わせて最適化した良好なラジオリスニング環境の構築ができる。
【発明を実施するための最良の形態】
【００１７】
続いて、本発明を実施するための最良の形態（以下「実施形態」という）について、図１から図３を参照して具体的に説明する。なお、前記図４に示した従来技術と同一の部分については同一の符号を付し、説明は省略する。
【００１８】
［１．構成］
本実施形態においては、図１に示すように、アンテナアンプ電流の検出回路９が設けられている。このアンテナアンプ電流は、ラジオ受信機に接続されたアンテナアンプ１０を駆動するための電流であって、ラジオ受信機のアンテナアンプ制御用出力回路５がＯＮされると、制御用ＣＰＵ２が電流検出回路９の検出結果を確認できるようになっている。
【００１９】
この場合、アンテナアンプ制御用出力回路５は、アンテナアンプ１０をラジオ受信時にＯＮさせ、受信が停止時（ラジオオフや他のモードになった場合）にＯＦＦとなるように制御するものであり、アンテナアンプ１０のないポールアンテナなどのチューナ１に直接接続するアンテナでは、この制御用出力回路５が動作しないために、制御用出力回路５に電流が流れないので、電流が流れるアンテナアンプ１０を備えたアンテナとを区別することができる。
【００２０】
前記制御用ＣＰＵ２は、アンテナアンプ制御用出力回路５に流れる電流があらかじめ規定しておいたアンテナアンプ１０の接続時と判断する電流値に達していない場合は、アンテナアンプを持たないアンテナアンプが接続されたと判断する。すなわち、本実施形態における電流検出回路９とこの制御用ＣＰＵ２とが、本発明におけるアンテナタイプの検出手段を構成している。
【００２１】
前記記憶装置７には、従来技術と同様に、異なったタイプのアンテナごとにチューナに対する各設定値（ソフトミュートレベル、Ｓメーターレベル、ハイカット量等）が格納されている。また、前記制御用ＣＰＵ２には、検出されたアンテナタイプに対応した設定値を前記記憶装置７から読み出して、これをラジオチューナ１に書き込む特性値設定手段１１が設けられている。
【００２２】
［２．作用］
前記のような構成を有する本実施形態において、チューナ特性値の設定は、図２のフローチャートの各ステップ及び図３（Ａ）（Ｂ）の接続図に示すように行われる。
【００２３】
まず、アンテナの接続前の状態では、制御用ＣＰＵ２は、ラジオ受信機Ｒの音声制御部３によりミュートをかけておくことにより、アンテナ接続作業時やチューナの特性設定時に、雑音がスピーカから出力されないようにしておく。これは、いずれのアンテナを接続した場合でも同様である。
【００２４】
この状態で、図３（Ａ）のように、ラジオ受信機Ｒにアンテナアンプを持たないポールアンテナＰＡを接続した場合、アンテナアンプがないため制御用回路５をオンしても（ステップ１）、制御用回路５に電流が流れることがなく、そのため電流検出回路９が所定の電流値を検出することがない（ステップ２のＮＯ）。
【００２５】
そのため、制御用ＣＰＵ２は、アンテナアンプがないポールアンテナがラジオ受信機Ｒに接続されていると判断し、記憶装置７より事前に保存してあるポールアンテナ用の設定値（ソフトミュートレベル、Ｓメーターレベル、ハイカット量等）を呼び出し（ステップ３）、制御用ＣＰＵ２とラジオチューナとを接続しているＢＵＳを介してチューナ１にこの値を設定する（ステップ５）。その後、音声制御部３のミュートを解除し（ステップ６）、音声出力可能としてラジオ受信機Ｒの聴取を開始する。
【００２６】
次に、図３（Ｂ）のように、ラジオ受信機Ｒにアンテナアンプ１０を有する硝子アンテナＧＡを接続した場合は、このアンテナアンプ１０の接続によりアンテナアンプ制御用出力回路５に流れる電流を電流検出回路９により検出し、この検出電流値があらかじめ規定しておいたアンテナアンプ接続時と判断する電流値の範囲に合致している場合は、制御用ＣＰＵ２はアンテナアンプを有する硝子アンテナＧＡが接続されたと判断する（ステップ２のＹＥＳ）。
【００２７】
そして、制御用ＣＰＵ２は、記憶装置７より事前に保存してあるアンテナアンプ用設定値（ソフトミュートレベル、Ｓメーターレベル、ハイカット量等）を呼び出し（ステップ４）、ＢＵＳを通してラジオチューナ１にこの値を設定する（ステップ５）。その後、音声制御部３のミュートを解除し（ステップ６）、音声出力可能としてラジオ受信機Ｒの聴取を開始する。
【００２８】
［３．効果］
以上の通り、本実施形態によれば、ラジオ受信機Ｒから出力するアンテナアンプ１０への制御信号に流れる電流値を電流検出回路９で観測することにより、接続されているアンテチタイプを識別し、それぞれのアンテナタイプに合った設定を適用することにより、ラジオ受信機に対するアンテナの取り付けのみで、ラジオチューナの設定をアンテナタイプに合わせて最適化できる。その結果、アンテナ取り付け時におけるユーザのチューナ特性設定の手間がなくなり、設定値の誤入力も解消される。
【００２９】
［４．他の実施形態］
なお、本発明は上記実施形態に限定されるものではなく、例えば、アンテナアンプの電流値の検出に代えて、アンテナアンプ１０に内蔵したメモリなどに識別コードを記憶させておき、この識別コードをラジオ受信機側の検出手段により読み込んで、識別コードに対応した設定値を記憶装置７から読み出すこともできる。
【図面の簡単な説明】
【００３０】
【図１】本発明に係るラジオ受信機の一実施形態の構成を示すブロック図。
【図２】図１の実施形態の動作を示すフローチャート。
【図３】図１の実施形態において、異なるアンテナを接続した状態を示すブロック図。
【図４】従来技術におけるラジオ受信機の構成を示すブロック図。
【符号の説明】
【００３１】
１：ラジオチューナ
２：制御用ＣＰＵ
３：音声制御部
４：音声増幅部
５：アンテナアンプ制御用出力回路
６：表示器
７：記憶装置
８：操作部
９：電流検出回路
１０：アンテナアンプ
１１：特性値設定手段
【図１】
2006270685.tif 000003
【図２】
2006270685.tif 000004
【図３】
2006270685.tif 000005
【図４】
2006270685.tif 000006